(57)【要約】      （修正有）【課題】トラクタの後輪で形成される轍溝を均平化するための整地部での負担を軽減し、特に大型トラクタやクローラ型のトラクタ等で代掻き作業を行う場合に、その走行部の轍跡に影響されることがない均平性能を有する取扱性のよい代掻き装置を提供する。【解決手段】トラクタ後輪１０と代掻き作業機２の砕土部２０との間に、トラクタ後輪１０により形成される轍溝へ土壌を埋め戻すための均平補助装置３を設け、これはメインフレームと平行に設けた支持フレームに取り付けられ左右上下に調整可能であり、支持杆３１上部には取手が設けられ下方には平面視進行方向に対し斜めにトラクタ後輪１０の轍溝へ向けて設けた土寄せ板３３が固着され、トラクタ中心に対し左右対称位置に取り付け可能となっている。【選択図】図１
2011087507.tif 000002
【特許請求の範囲】
【請求項１】
進行方向と直行する方向に長い砕土部と、その後方に砕土部により砕土された土壌を押圧して均平作業を行う均平板を設けたトラクタの後方に装着されて使用される代掻き作業機において、
トラクタ後輪と代掻き作業機の砕土部との間に、トラクタ後輪により形成される轍溝へ土壌を埋め戻すための均平補助装置を設け、均平補助装置は、砕土部を駆動する駆動軸を保持するメインフレーム前方の、メインフレームと平行に設けた支持フレームに設けられていて、支持フレームに対し左右にスライド可能に設けた保持ブラケットと、保持ブラケットに上下スライド可能に設けた支持杆と、支持杆上部には取手が設けられるとともに下方には、平面視トラクタの進行方向に対し斜めにトラクタ後輪で形成される轍溝へ向けて設けた土寄せ板が固着され、土寄せ板は、後面視前方上端側が前方に長く、下端側が上方端側よりも短く形成された板状で、均平補助装置は、トラクタ中心に対し左右対称位置に取り付け可能となっていることを特徴とする代掻き作業機の均平補助装置。
【請求項２】
進行方向と直行する方向に長い砕土部と、その後方に砕土部により砕土された土壌を押圧して均平作業を行う均平板を設けたトラクタの後方に装着されて使用される代掻き作業機において、
代掻き作業機は、中央作業部と左右の延長作業部とで構成されていて、左右の延長作業部はそれぞれ中央作業部側に非作業状態に折畳み可能であり、トラクタ後輪と代掻き作業機の砕土部との間に、トラクタ後輪により形成される轍溝へ土壌を埋め戻すための均平補助装置を設け、
均平補助装置は、代掻き作業機に対し左右にスライド可能に設けた保持ブラケットと、保持ブラケットに上下スライド可能に設けた支持杆と、支持杆上部には取手が設けられるとともに下方には、平面視トラクタの進行方向に対し斜めにトラクタ後輪で形成される轍溝へ向けて設けた土寄せ板が固着され構成されていて、土寄せ板は、前記中央作業部と左右の延長作業部との境界部前方に配置可能であるとともに、トラクタ中心に対し左右対称位置に取り付け可能となっていることを特徴とする代掻き作業機の均平補助装置。
【発明の詳細な説明】
【技術分野】
【０００１】
本発明は、トラクタに装着されて使用される代掻き作業機の均平装置に関する。
【背景技術】
【０００２】
この種の代掻き装置の従来技術として実開昭５４−９７４０６号公報（従来技術１）または、実公昭４９−７１３９号公報(従来技術２)が開示されている。
【０００３】
実開昭５４−９７４０６号公報（従来技術１）には、「トラクタでけん引する砕土整地機のロータカバーの前縁部における上記トラクタの後輪に対応する左右部分にブラケットを取付け、上記ブラケットには土寄せ板を正面略ハ状に固着し、上記土寄せ板は、後部は進行方向に対して適当角度の勾配をつけ基部をせばめ傾斜誘導壁体を形成し、前部は進行方向に対してやや外方に開き気味に形成されていることを特徴とする砕土整地機におけるトラクタ車輪跡除去装置」また、前記トラクタ車輪跡除去装置において「ブラケットと土寄せ板とにおいて、当該土寄せ板を上記ブラケットに対して上下調整自在に構成した」技術の記載がある。
【０００４】
また、実公昭４９−７１３９号公報(従来技術２)には、「下端に土寄板１４を軸着した支持棒１５の上部を止金１７の凹部に係合して支持棒１５を主桁１３に固定し、１対の土寄板１４，１４をトラクタａのゴム車輪１の接地面後方においてゴム車輪１の中心線の両側に配置するようにした農耕用４輪トラクタに連結する水田代掻機におけるゴム車輪の跡を消す装置」の記載がある。
【先行技術文献】
【特許文献】
【０００５】
【特許文献１】実開昭５４−９７４０６号公報（従来技術１）
【特許文献２】実公昭４９−７１３９号公報(従来技術２)
【発明の概要】
【発明が解決しようとする課題】
【０００６】
代掻き砕土装置による砕土部や整地部の技術の向上により代掻き作業時の均平技術は向上してきているが、近年トラクタが４輪駆動となったことや圃場条件が良くなったこともあり、代掻き時に後輪に補助車輪を装着せずに作業が行われるようになってきている。このため、トラクタ後輪による轍溝が深く形成されやすくなり、代掻き作業による均平作業では轍が形成されて移動した土壌を轍溝に戻しきれずにトラクタ後輪の走行跡が低く筋状に残る場合がある。また、トラクタが大型化することでタイヤ幅も広くなってきたことや、クローラ型の走行部を有するトラクタが使用されるようになってきて、走行部により移動される土量も増加し均平作業には不利な条件となってきている。
【０００７】
従来技術１に開示される「砕土整地機におけるトラクタ車輪跡除去装置」は、ロータカバーの前縁部にブラケットを取り付け土寄せ板を固着した構成となっているが、大量に移動された土壌を戻すことや、大型化するトラクタによるけん引作業には強度上十分とはいえない構成となっている。また、従来技術２に開示される「農耕用４輪トラクタに連結する水田代掻機におけるゴム車輪の跡を消す装置」は、調整時の取扱性や大量に移動された土壌を戻す場合に十分な構成とはいえない問題がある。
【０００８】
このため本発明の目的は、トラクタの後輪部で形成される轍溝を均平化するための整地部での負担を軽減し、特に大型トラクタやクローラ型のトラクタ等で代掻き作業を行う場合に、その走行部の轍跡に影響されることがない均平性能を有する取扱性のよい代掻き装置を提供することにある。
【課題を解決するための手段】
【０００９】
上記課題を解決するために、進行方向と直行する方向に長い砕土部と、その後方に砕土部により砕土された土壌を押圧して均平作業を行う均平板を設けたトラクタの後方に装着されて使用される代掻き作業機において、トラクタ後輪と代掻き作業機の砕土部との間に、トラクタ後輪により形成される轍溝へ土壌を埋め戻すための均平補助装置を設け、均平補助装置は、砕土部を駆動する駆動軸を保持するメインフレーム前方の、メインフレームと平行に設けた支持フレームに設けられていて、支持フレームに対し左右にスライド可能に設けた保持ブラケットと、保持ブラケットに上下スライド可能に設けた支持杆と、支持杆上部には取手が設けられるとともに下方には、平面視トラクタの進行方向に対し斜めにトラクタ後輪で形成される轍溝へ向けて設けた土寄せ板が固着され、土寄せ板は、後面視前方上端側が前方に長く、下端側が上方端側よりも短く形成された板状で、均平補助装置は、トラクタ中心に対し左右対称位置に取り付け可能となっていることを特徴とする代掻き作業機の均平補助装置を提案する。
【００１０】
また、進行方向と直行する方向に長い砕土部と、その後方に砕土部により砕土された土壌を押圧して均平作業を行う均平板を設けたトラクタの後方に装着されて使用される代掻き作業機において、代掻き作業機は、中央作業部と左右の延長作業部とで構成されていて、左右の延長作業部はそれぞれ中央作業部側に非作業状態に折畳み可能であり、トラクタ後輪と代掻き作業機の砕土部との間に、トラクタ後輪により形成される轍溝へ土壌を埋め戻すための均平補助装置を設け、均平補助装置は、代掻き作業機に対し左右にスライド可能に設けた保持ブラケットと、保持ブラケットに上下スライド可能に設けた支持杆と、
支持杆上部には取手が設けられるとともに下方には、平面視トラクタの進行方向に対し斜めにトラクタ後輪で形成される轍溝へ向けて設けた土寄せ板が固着され構成されていて、土寄せ板は、前記中央作業部と左右の延長作業部との境界部前方に配置可能であるとともに、トラクタ中心に対し左右対称位置に取り付け可能となっていることを特徴とする代掻き作業機の均平補助装置を提案する。
【発明の効果】
【００１１】
この発明によれば、トラクタ後輪と代掻き作業機の砕土部との間にトラクタ後輪により形成される轍溝へ土壌を埋め戻すための均平補助装置を、砕土部を駆動する駆動軸を保持するメインフレーム前方の、メインフレームとは別に平行に設けた支持フレームに設けたことにより、剛性が高いため大量の土壌を埋め戻す為の大型トラクタの負荷が作用しても十分に対応できる。また、メインフレームの前方に設けているため左右上下方向の調整が容易にできるとともに、支持杆上部に設けた取手により調整時の取扱性が良い。
【００１２】
また、支持杆下方には、平面視トラクタの進行方向に対し斜めにトラクタ後輪の轍溝へ向けて設けた土寄せ板が固着され、土寄せ板は、後面視前方上端側が前方に長く、下端側が上方端側よりも短く形成された板状であるため、轍の側方に盛り上げられた土壌をトラクタの進行とともに確実に轍溝に誘導して埋め戻す。また、前方先端部の下方が短く形成されていることで、先端部に位置する土壌の一部を側方に逃がすことで先端部に大きい段差を形成せずに盛り上がり部を轍溝に埋め戻すことができるため、後方に位置する砕土部や均平部の負担を軽減し代掻き均平性を補助する。
【００１３】
さらに、中央作業部と左右の延長作業部とで構成された代掻き機の場合、砕土部は砕土駆動部を支持するための軸受部や駆動用のチェーンケース等により折畳み境界部に十分に砕土用や土移動用の爪を配置できないため、折畳み境界部は他の部分に比較して砕土均平性能が十分とはいえない部分である。このため、この部分にトラクタ後輪により盛り上げられた大量の土壌が位置した場合や深い轍溝が位置した場合、砕土均平能力が不十分となり代掻きによる均平が不良となる。本発明は中央作業部と左右の延長作業部との境界部前方に均平補助装置を配置可能であるとともに、トラクタ中心に対し左右対称位置に取り付け可能であるため、砕土部前方位置でトラクタ後輪で形成された轍溝に、その側方に盛り上がった土壌を均平補助装置により埋め戻し、後方の砕土均平部の折畳み境界部に大量の土壌が位置することや深い轍溝が位置することを回避できることで代掻き機の均平性を補助することができる。
【図面の簡単な説明】
【００１４】
【図１】本発明を実施した代掻き作業機のトラクタに装着した状態の側面図
【図２】本発明を実施した代掻き作業機のトラクタに装着した状態の平面図
【図３】本発明を実施した代掻き作業機の正面図
【図４】本発明を実施した代掻き作業機の断面した要部側面図
【発明を実施するための形態】
【００１５】
以下、本発明の実施例を以下の図面に基づいて説明する。図１は本発明を実施した代掻き作業機のトラクタに装着した状態の側面図、図２は同じくトラクタに装着した状態の平面図、図３は本発明を実施した代掻き作業機の正面図、図４は本発明を実施した代掻き作業機の断面した要部側面図を示したものである。
【００１６】
本例に示す代掻き作業機２は、トラクタ１に装着されて代掻きや砕土作業を行う装置である。トラクタ１の後方に設けた左右一対のロワーリンク１２とその中央上方に設けたトップリンク１１とからなる３点リンクヒッチ機構に、これらを定型化する連結枠２５（クイックカプラー又はオートヒッチと称される）を前記ロワーリンク１２に水平方向に設けたロワーリンクピン２５１と前記トップリンク１１に同じく水平方向に設けたトップリンクピン２５２をそれぞれ挿入して取り付け、代掻き作業機２の前方フレームに設けた左右一対のロワーピン２５４と該中央上方に設けたトップマスト２６の前端部に設けたアッパーピン２５３に前記連結枠２５の係合部を係合させ連結される。
【００１７】
連結手順は、先ず連結枠２５上方のフック２５５を前記トップマスト２６のアッパーピン２５３に係合させ、トラクタの３点リンク機構を上昇させ連結された連結枠２５を上昇させると、前記代掻き作業機２側のロワーピン２５４が連結枠２５側に引き寄せられ連結枠２５の下部の係合部と係合し連結される。下部の係合部は、連結枠２５に設けたピン固定フック２５６をロワーピン２５４に引掛けて外れ防止をする。
【００１８】
代掻き作業機２前方中央水平方向に突設させて設けた入力軸２７は、トラクタ１の図示していないＰＴＯ軸とユニバーサルジョイントで連結され、トラクタ１の回転動力を代掻き作業機２側に入力するためのものである。入力軸２７に入力された回転動力は、入力軸２７を突設して設けた左右中央部のギヤボックス２８に入力され、ギヤボックス２８内のベベルギヤを介してギヤボックス２８から左右水平方向に延設したメインフレーム２２内の駆動軸２４により左右方向いずれか側方に設けた伝動チェーンケースに伝達され、該伝動チェーンケースに内装されているスプロケットに伝動され、これに巻架される伝動ローラーチェーンにより、下方に設けた砕土部２０のローター軸２０２に固着されたスプロケットを駆動しローター軸２０２を回転駆動する。砕土部２０は、機幅方向に長いローター軸２０２に放射状に砕土爪２０１を固着させて設けてあり、回転する砕土爪２０１により土を砕土するとともに左右方向に移動するように構成されていて、ローター軸２０２上方部はローターカバー２０３で覆われて砕土された土の飛散を防止する。
【００１９】
ローターカバー２０３の後方部には、整地部２１が設けてあり、ローターカバー２０３の後端を支点に上下方向に回動する第１整地板２１ａと、その後端部を支点に上下方向に回動自在に連結された第２整地板２１ｂとで構成する均平板２１０が設けられていて、砕土部２０で砕土され飛散する土を受け止めるとともに後方部で整地する。
【００２０】
整地部２１の第１整地板２１ａ内側には、レーキ２１１が配置されている。レーキ２１１は、前方に回動中心であるレーキ体回動ボスを水平方向に設け、これに進行方向に長い丸棒状レーキ２１１を保持するレーキ保持板が固着されていて、レーキ２１１がレーキ保持板に前方端を固定されるとともに後方側に延設され、第１整地板２１ａの幅方向に等間隔で複数配置されて、砕土された泥土中の夾雑物を下方に誘導して代掻き圃場面Ａより埋没させるように構成されている。
【００２１】
トラクタ後輪１０と代掻き作業機２の砕土部２０との間には、トラクタ後輪１０により形成される轍溝へ土壌を埋め戻すための均平補助装置３が設けられている。均平補助装置３は、進行方向に直行する水平方向に設けたメインフレーム２２前方のメインフレーム２２と平行に丸パイプで構成した支持フレーム２３に取り付けられている。均平補助装置３は、支持フレーム２３に対し左右にスライド可能に設けた保持ブラケット３０と、保持ブラケット３０に上下スライド可能に設けた支持杆３１と、支持杆３１上部には取手３２が設けられるとともに下方には、平面視トラクタ１の進行方向に対し斜めにトラクタ後輪１０で形成される轍溝へ向けて設けた土寄せ板３３が固着され、土寄せ板３３は、後面視前方上端側３３０が前方に長く、前方下端側３３１が上方端側よりも短く形成された板状となっている。
【００２２】
土寄せ板３３は、トラクタ後輪１０により形成される轍溝の側方の土壌が盛り上がった部分に位置するように設けられ、トラクタ１の進行により平面視斜設して設けた土寄せ板３３によって盛り上がった土壌を轍溝に誘導し埋め戻す。本例においては、左右のトラクタ後輪１０の外側のみにそれぞれ設けてあるが、トラクタ後輪１０のそれぞれの左右に設けて、轍溝の左右から土壌を埋め戻しても良い。
【００２３】
丸パイプで構成した支持フレーム２３の均平補助装置３の取付け部は、側面視コ字状の金具が開放部を丸パイプに当接させるとともに底部を前方に向け丸パイプに溶接して固着されていて、前方に向けた平面で形成される取付け面に保持ブラケット３０が当接され、支持フレーム２３の丸パイプ外周に後方から前方に向け挿入されたＵボルト３５により保持ブラケット３０が締め付けられ固定されている。Ｕボルト３５を緩めると支持フレーム２３に沿って左右に移動可能であり、均平補助装置３の左右方向の取付け位置を調整できる。左右方向の調節はトラクタと作業機が決まると頻繁に調整する必要性は少ない。
【００２４】
保持ブラケット３０には、断面矩形の上下方向の案内孔で構成された角パイプ状の保持部が設けられていて、これに断面矩形で上下に長い支持杆３１をスライド自在に挿入させ、保持ブラケット３０側と支持杆３１側にそれぞれ水平方向に設けた固定孔を重合させて固定ピン３４を挿入して固定させ、支持杆３１の上下に複数設けた孔の差換えにより上下位置を調整可能としている。固定ピン３４は常に挿入固定側にバネにより付勢されて保持ブラケット３０に取り付けられていて、付勢力に抗して水平方向に引くと固定ピン３４が外れて支持杆３１が上下移動可能となり、戻すと固定穴にバネの付勢力により挿入される。支持杆３１の上端部には取手３２が設けてあり、上下位置を調整するときに片手で持上げるとともに他方の手で固定ピン３４を抜き差しできるように構成されている。
【００２５】
支持杆３１の下方には、平面視トラクタ１の進行方向に対し外側に斜めに向けた土寄せ板３３が固着されていて、トラクタ後輪１０で形成された轍溝の側方に盛り上げられた土壌をトラクタ１の進行により轍溝に誘導する。土寄せ板３３は、後面視前方上端側３３０が前方に長く、前方下端側３３１が上方端側よりも短く形成された板状となっていて、先端部に位置する土壌の一部を側方に逃がすことで先端部に大きい段差を形成せずに盛り上がり部を轍溝に埋め戻すことができるため、後方に位置する砕土部２０や整地部２１の負担を軽減し代掻き均平性を補助する。上下方向の調節は、砕土部２０の耕深量や土質または轍溝の深さや大きさ等により最適位置が異なる為都度調整する。
【００２６】
砕土部２０及び整地部２１は、中央作業部２０４と左右の延長作業部２０５，２０５´とで構成されていて、左右の延長作業部２０５，２０５´はそれぞれ中央作業部２０４側上方部に折畳み回動支点２０６を中心に折畳みできるように構成されている。このため、砕土部２０はそれぞれ砕土駆動部を支持するための軸受部や駆動用のチェーンケース等を両端部に配置する必要があり、折畳み境界部２０７，２０７´には十分に砕土用や土移動用の砕土爪２０１を配置できない構成となっていて、折畳み境界部２０７，２０７´は他の部分に比較して砕土均平性能が十分とはいえない部分となっている。このため、この部分にトラクタ後輪１０により盛り上げられた大量の土壌が位置した場合や深い轍溝が位置した場合、砕土均平能力が不十分となり代掻きによる均平が不良となる。このため、中央作業部２０４と左右の延長作業部２０５，２０５´との境界部２０７，２０７´前方近傍に均平補助装置３を配置可能に支持フレーム２３の左右方向の調節代を設けてあり、砕土部２０前方位置でトラクタ後輪１０で形成された轍溝に、その側方に盛り上がった土壌を均平補助装置３により埋め戻し、後方の砕土均平部の折畳み境界部２０７，２０７´に大量の土壌が位置することや深い轍溝が位置することを回避可能としている。
【産業上の利用可能性】
【００２７】
この発明は、トラクタ等の走行機後方に装着されて使用される代掻き作業機や砕土作業機等の均平作業を目的とした農業用機械に利用される。
【符号の説明】
【００２８】
１    トラクタ
１０  トラクタ後輪
１１  トップリンク
１２  ロワーリンク
２    代掻き作業機
２０  砕土部
２０１  砕土爪
２０２  ローター軸
２０３  ローターカバー
２０４  中央作業部
２０５，２０５´  延長作業部
２０６  折畳回動支点
２０７，２０７´  境界部
２１  整地部
２１０  均平板
２１ａ  第１整地板
２１ｂ  第２整地板
２１１  レーキ
２２  メインフレーム
２３  支持フレーム
２４  駆動軸
２５  連結枠
２５１  ロワーリンクピン
２５２  トップリンクピン
２５３  アッパーピン
２５４  ロワーピン
２５５  フック
２６  トップマスト
２７  入力軸
２８  ギヤボックス
３    均平補助装置
３０  保持ブラケット
３１  支持杆
３２  取手
３３  土寄せ板
３３０  前方上端側
３３１  前方下端側
３４  固定ピン
３５  Ｕボルト
【図１】
2011087507.tif 000003
【図２】
2011087507.tif 000004
【図３】
2011087507.tif 000005
【図４】
2011087507.tif 000006